(57)【要約】      （修正有）【課題】プルトップ型の缶においてプルトップを指先の不自由な人でも簡単に開缶できる開缶具を提供する。【解決手段】偏平かつ丸味を付けた差し込み部を先端２に形成し、この先端２から把手部４にかけてプルタブ引っ掛け部３を形成する。開缶に際しては、開缶具本体１の先端２をプルタブリング１１の下に差し込んで、少し起こしてから奥まで開缶具本体１の先端２側を差し込み、把手部４側を持ち上げることによりプルトップ１２を開缶することができる。【選択図】図２
0003143914.tif 000002
【実用新案登録請求の範囲】
【請求項１】
偏平かつ丸味を付けた差し込み部を先端に形成し、この先端から把手部にかけた部位にプルタブリングの引っ掛け部を形成して成るプルトップ缶の開缶具。
【請求項２】
前記把手部に栓抜き部を形成して成る請求項１に記載のプルトップ缶の開缶具。
【請求項３】
前記把手部に膨大部を形成して成る請求項１に記載のプルトップ缶の開缶具。
【請求項４】
前記プルタブリングの引っ掛け部を鋸歯状又はネジ山状又はＶ字状に形成して成る請求項１に記載のプルトップ缶の開缶具。
【考案の詳細な説明】
【技術分野】
【０００１】
本考案は、水ようかん、ペット缶等に使用されているプルトップ型の缶において、このプルトップを手軽に開缶することができる開缶具に関する。
【背景技術】
【０００２】
水ようかんやドッグフード、キャットフードに代表される容器（缶）の場合、道具無しで簡単に開缶できるように、プルトップ型の蓋が用いられている例が多い。
確かに、このプルトップの缶は、プルタブを指先で少し起こし、指先をプルタブリング内に入れて強く手前に引くと、プルトップは簡単に開くが、高齢者や子供あるいは指先が不自由な人の場合、健常者には何ともないこのプルトップの開放が、大変難しい。特に、一人暮らしの高齢者等の場合、他に助けを求める人がいないため、手近に在る千枚通しのように先端が尖った物を探して使用したりすることがあるが、プルタブリングはトップの上面に密着していたり、プルタブは金属のためにかなり固いことから、プルタブリングの下に尖った先端を挿し込むのに苦労したり、滑って怪我をしたりすることがある。
【０００３】
また、プルトップ自体を開缶するときにも、身体的な弱者には大きな力が必要となり、健常者にとっては大変便利なプルトップ型の缶であっても、身体的な弱者には開缶に困難を伴うことが多い。特に、ペットフードのようなものの場合は、毎日開缶する例もあることから、手軽に使用できる開缶具の要望が多い。
本考案は、このような要望を叶えるべく種々試作を繰り返した結果、今回使って大変便利な開缶具を完成することができた。
【０００４】
なお、ここで提案するプルトップ開缶具に近いものとして、特開２００５―３２４８５１号には、缶・ビン、ペットボトルの口開けをトップハンドＩＩ（ステンレス製）を使用することによって、体の不自由な方、又弱視の方が、この器具によって、自分自身でビンの栓抜き、缶のプルタブ起こし、ペットボトル栓開けを両手若しくは、片手で安心して安全に使用出来る器具として、略２等辺三角形状のステンレス板の長手方向両側端を折り曲げて握り部とし、２等辺三角形状の底辺側に鋸刃状係合面のある孔を設けてねじ蓋用とし、２等辺三角形状の頂点側に舌片を設けてプルタブ起しとし、２等辺三角形状の中央に楕円孔を設けて王冠用とした、開蓋具が紹介されている。
しかし、この開蓋具の場合、プルタブを起すことはできても、プルトップ自体を手軽に開缶することはできないため、指先に十分な力を掛けることのできない人には未だ改良の余地がある。
【考案の開示】
【考案が解決しようとする課題】
【０００５】
本考案は斯かる点に鑑みて提供されるものであって、その目的は、何人も簡単にプルタブを起こしてプルトップ缶を開缶することができるプルトップ缶の開缶具を提供することである。
【課題を解決するための手段】
【０００６】
上記目的を達成するため、請求項１に記載の考案においては、プルトップ缶の開缶具において、偏平かつ丸味を付けた差し込み部を先端に形成し、この先端から把手部にかけた部位にプルタブリングの引っ掛け部を形成して成ることを特徴とするものである。
【０００７】
更に、請求項２に記載の考案においては、請求項１に記載のプルトップ缶の開缶具において、前記把手部に栓抜き部を形成して成ることを特徴とするものである。
【０００８】
更に、請求項３に記載の考案においては、請求項１に記載のプルトップ缶の開缶具において、前記把手部に膨大部を形成して成ることを特徴とするものである。
【０００９】
更に、請求項４に記載の考案においては、請求項１に記載のプルトップ缶の開缶具において、前記プルタブリングリングの引っ掛け部を鋸歯状又はネジ山状又はＶ字状に形成して成ることを特徴とするものである。
【考案の効果】
【００１０】
上記本考案では、開缶具の先端を先ず寝た状態のプルタブリング内側から差し込み、引き起こしてからこのプルタブリング内に更に差し込んで先端を缶（プルトップ）の奥まで差し込み、把手部側を持ち上げると、テコの原理も手伝って、プルトップ缶を簡単に開缶できる。
また、この開缶は、プルタブリングを引き起こす動作と、開缶の動作を一連に行うことができるため、特別な使い方ではないことから高齢者や子供でも簡単に使用することができる。
【００１１】
また、開缶具の先端を薄く形成することによりプルタブリングの裏に差し込み易いと共に中間にプルタブリングの引っ掛け部を形成したことにより、プルトップ缶を開缶するときにプルタブリングが滑ることがない。
また、先端に丸味をつけたことにより、手等に刺さったりする危険がなく、安全である。
【実施例】
【００１２】
図１（Ａ）（Ｂ）に本考案に係る開缶具を示し、図２〜図５に使用例（開缶例）を示す。
先ず、図１（Ａ）は、栓抜きを兼ねたプルトップ缶の開缶具であって、この開缶具は、開缶具本体１の先端２をプルタブリングの下に差し込み易いように偏平に薄く形成すると共に丸味をつけることにより安全性を確保している。
３は、開缶具本体１の中程に階段状に形成したＶ字状のプルタブリングの引っ掛け部、５は把手部４に形成した栓抜き部である。
【００１３】
一方、図１（Ｂ）は、プルトップ缶専用具として、前記栓抜き部５に換えて把手部４を握り易いように円形膨大部に形成した開缶具であって、（Ａ）の開缶具の場合はすべて金属（ステンレス）であるが、（Ｂ）の場合は把手部４のみが木、樹脂等で形成し、あとは金属（ステンレス）で形成されている。但し、この場合も、すべて金属で形成しても良い。なお、把手部４の形状は、丸にこだわらず、握り易い形状ならばどのようなものでも良い。
【００１４】
上記開缶具を用いて開缶する例を次に説明する。図２は、先ず開缶具本体１の把手部４を片手に持ち、プルタブ１０のリング１１のところに先端２を差し込んでいる図であって、図２（Ｂ）に示すように、プルタブ１０のリング１１の下に先端２を差し込んで少し起す。
【００１５】
次に、図３に示すように、開缶具本体１の把手部４側を矢印に示すように下げてプルタブリング１１を引き起こし、図４に示すように開缶具をプルタブリング１１内に差し込んで開缶具本体１の先端２を缶（プルトップ）１２の奥１２ａのところまで十分に差し込む。
その上で、図４の矢印のように開缶具本体１の把手部４側を持ち上げると、プルタブリング１１はテコの原理で引き上げられるため、プルトップ１２は図５（Ａ）に示すように開缶する。このとき、プルタブリング１１は、開缶具本体１の引っ掛け部３に引っ掛かって滑ることはない。なお、引っ掛け部３は、このようにリング１１が滑らない形状であれば、図１（Ｂ）に示したようなねじ形状であっても良く、Ｖ字状あるいは鋸歯状などであっても良い。
【００１６】
上記した開缶具はプルトップ缶の開缶具としてのものであるが、用途的には缶ビールの開孔プルの引き起こし等に使用しても構わない。
【図面の簡単な説明】
【００１７】
【図１】開缶具を示し、（Ａ）は階段状の引っ掛け部を形成すると共に栓抜き部を形成した開缶具の斜視図、（Ｂ）はねじ形状の引っ掛け部を形成した開缶具の斜視図。
【図２】（Ａ）はプルタブのリングに開缶具の先端を差し込んでいる状態、（Ｂ）は少し差し込んで起こした状態の説明図
【図３】プルタブを引き起こした状態の説明図
【図４】開缶具をプルタブリングを介して奥まで差し込んだ状態の説明図
【図５】（Ａ）はプルトップを開封している途中の説明図、（Ｂ）はプルタブリングが開缶具の引っ掛け部に引っ掛かっている状態の説明図
【符号の説明】
【００１８】
１  開缶具本体
２  先端
３  引っ掛け部
４  把手部
５  栓抜き部
１０  プルタブ
１１  プルタブリング
１２  プルトップ
【図１】
0003143914.tif 000003
【図２】
0003143914.tif 000004
【図３】
0003143914.tif 000005
【図４】
0003143914.tif 000006
【図５】
0003143914.tif 000007